(57)【特許請求の範囲】
【請求項１】
務歯の両側に細長状テープを接続したことによるファスナーに対し、更に両側から防水用シートを接続したことによる構成単位を設けると共に、既存の潜水服において設けられている務歯の両側に細長状テープを接続したことによるファスナーの両側に接続されている防水用シートに対し、前記構成単位の防水用シートを固着することによる二重構造のファスナーを設けた潜水服において、二重構造となっている各ファスナー及び当該各ファスナーの両側に位置している防水用シートによって形成されている細長い袋状の領域に、圧縮空気を充満させたことに基づく潜水服。
【請求項２】
細長い袋状の領域部分に所定の位置にある入口を介して、圧縮空気を墳入させ、しかも、当該入口に対し他の位置にある出口を介して、当該圧縮空気を噴出させることによって、該袋状の領域部分に圧縮空気を充満し得る請求項１記載の潜水服。
【請求項３】
二重構造のファスナーの内、外側のファスナーの務歯を、着装する身体側に位置するように配置し、内側のファスナーの務歯を、着装する身体と反対側の位置になるよう配置することを特徴とする請求項１記載の潜水服。
【請求項４】
フッ素ゴムシートに対し、クロロプレンゴムシート、又はブチルゴムシートの一方又は双方を積層した防水用シートを採用していることを特徴とする請求項１記載の潜水服。
【請求項５】
フッ素ゴムシート、クロロプレンゴムシート、ブチルゴムシートの何れか又は全てが、独立気泡による発泡構造であることを特徴とする請求項４記載の潜水服。
【発明の詳細な説明】
【０００１】
【発明の属する技術分野】
本発明は、廃棄物質及び化学物質などによって、環境汚染が生じている水中において、当該汚染からの影響を防止・抑制し得る潜水服に関するものである。
【０００２】
【従来の技術】
潜水服は、防水用シート及び首部、手首の領域部分において、開閉機能を有し、かつ閉じた場合には、防水機能を有しているファスナーを備えており、このような構成は既に周知である。
【０００３】
他方、近年海水及び河川の水は、生活排水、産業排水を原因として、廃棄物質及び化学物質（以下「化学物質等」と略称する）によって相当汚染されている場合が多い。
【０００４】
しかしながら、これまで潜水服において汚染を防止するための基本構成については、格別の配慮が行われている訳ではない。
【０００５】
そして、化学物質等によって汚染されている海水、湖水中に潜水を行った場合、潜水服が浸蝕され、ひいては、身体が汚染による影響を受けるだけでなく、極端な場合には、潜水機能が喪失するというアクシデントが生じていた。
【０００６】
にも拘わらず、従来技術においては、この点に対する対策が十分講じられていない状況にある。
【０００７】
【発明が解決しようとする課題】
本願発明は、従来技術による潜水服における前記のような弊害を克服し、環境汚染から身体を防止し得る潜水服の構成を提供することを解決するものである。
【０００８】
【課題を解決するための手段】
前記の課題を解決するため、本願発明の構成は、務歯の両側に細長状テープを接続したことによるファスナーに対し、更に両側から防水用シートを接続したことによる構成単位を設けると共に、既存の潜水服において設けられている務歯の両側に細長状テープを接続したことによるファスナーの両側に接続されている防水用シートに対し、前記構成単位の防水用シートを固着することによる二重構造のファスナーを設けた潜水服において、二重構造となっている各ファスナー及び当該各ファスナーの両側に位置している防水用シートによって形成されている細長い袋状の領域に、圧縮空気を充満させたことに基づく潜水服からなる。
【０００９】
【発明の実施の形態】
本願は、潜水服の開閉を行うファスナーの構成に関する発明である。
【００１０】
本願発明は、開閉機能を有しているファスナー及びその付近の防水用シートを二重構造とし、かつ二重構造を形成している各ファスナー及びその各両側の防水用シートによって細長い袋状を形成し、しかも当該袋状の領域に圧縮空気を充満させたことに特徴を有している。
【００１１】
前記のような二重構造を採用したのは、ファスナーの部分は、務歯によって細長状テープを閉じた状態としても、細長状テープの隙間から汚染された水が僅かに浸入し、これによって身体の汚染が生ずる危険があるため、図２（ｂ）に示すように、ファスナー２を二重構造とし、外側のファスナー２の領域から水が浸入しても、内側のファスナー２領域によって防水を行うことを目的としているからに他ならない。
【００１２】
図２（ｂ）に示す二重構造は、務歯２２及び細長状テープ２１とによるファスナー２が装着されている潜水服とは別に、図２（ａ）に示すように、別途務歯２２の両側に細長状テープ２１を接続したことによるファスナー２に対し、更に両側から防水用シート１（実際には、略帯状を呈している場合が多い）を接続したことによる構成単位を設けると共に、既存の潜水服における務歯２２の両側に細長状テープ２１を接続したことによるファスナー２の更に両側から接続されている防水用シート１に対して、前記一体構成に係る防水用シート１を固着することによって実現されている。
【００１３】
但し、前記固着は、通常接着剤によって実現され、かつ、用意した両側の防水用シート１の両端部又はその付近において、前記固着を実現し、これによって二重構造となったファスナー２及びその付近の領域は、通常細長い袋状を形成することになる。
【００１４】
このような細長い袋状領域に圧縮空気を充満した場合には、外側のファスナー２の隙間から、化学物質等によって汚染された水が袋状の領域内に浸入することを極力防止することができる。
何故ならば、圧縮空気の充満によって、当該圧縮空気は、各ファスナー２の外側に噴出しようとし、これによって、浸入しようとする水を排斥する効力を有するからである。
但し、圧縮空気を前記袋状の領域に充満させた場合には、次第に充満した圧縮空気は、二重構造を形成する各ファスナー２の隙間から漏洩し、圧縮の程度は順次減少してくるということにならざるを得ない。
【００１５】
このような状況を避けるためには、図３に示すように、変形自在なパイプ４を介して、前記袋状の領域と圧縮空気用容器又はポンプ３とを連通した状態とし、所定の位置にある入口を介して前記袋状の領域に圧縮空気を噴入させ、当該入口に対し他の位置にある出口を介して、前記圧縮空気を噴出させた場合には、継続した圧縮空気の作用によって、汚染された水の浸入を継続的に防止し、ひいては、身体に対する汚染を極めて十分なものとすることができる。
【００１６】
本願発明の潜水服に使用する素材につき説明するに、通常潜水服の場合には、クロロプレンゴムが使用されることが多いが、クロロプレンゴムは、ベンゼン、トルエン及びクレゾールからの芳香族有機化合物に浸蝕され易いという欠点を有している。
【００１７】
これに対し、フッ素ゴムは、これらの芳香族有機化合物に対し浸蝕されにくいという性格を有しており、他方、ブチルゴムは芳香族有機化合物の内、ベンゼン及びトルエンに対しては、フッ素ゴムほどではないにしても、クロロプレンゴムよりも浸蝕され難い性格を有している。
【００１８】
本願発明においては、このような各ゴムの性状に着目し、図１（ａ）に示すように、フッ素ゴムシート１１に対し、クロロプレンゴムシート１２、ブチルゴムシート１３の内、少なくとも一方を積層するか、又は図１（ｂ）に示すように、フッ素ゴムシート１１に対し、クロロプレンゴムシート１２、ブチルゴムシート１３の双方を積層した構成を好ましい実施形態として採用している。
【００１９】
クロロプレンゴムは、メチルエチルケトン及び酢酸エチルによる浸蝕に対しては必ずしも強力ではなく、これに浸蝕される傾向があり、フッ素ゴムはこれらによる浸蝕に対しては極めて脆弱である。
【００２０】
これに対し、ブチルゴムは、メチルエチルケトン及び酢酸エチルによる浸蝕に対して、侵され難い性格を有している。
【００２１】
したがって、色々な化学物質等からの浸蝕を考慮するならば、前記３種類のゴムシートの積層が最も好ましい。
尚、潜水服を装着する身体の内側から外側の方向を基準とした場合、２種類又は３種類の積層関係の順序は特に限定される訳ではない。
【００２２】
以下、本件発明の実施例に即して説明する。
【００２３】
【実施例１】
大抵の潜水服においては、独立気泡による発泡クロロプレンゴムを使用している。
【００２４】
前記のようなフッ素ゴムシート１１に対し、クロロプレンゴムシート１２、又はブチルゴムシート１３の一方又は双方を積層したことによる実施形態において、フッ素ゴムシート１１、クロロプレンゴムシート１２、ブチルゴムシート１３の何れか又は全てについて、独立気泡による発泡構造を採用した場合には、化学物質及び汚染物質からの浸蝕に耐え得るだけでなく、保温性及び柔軟性において優れた性能を発揮し、快適な潜水を実現することができる。
【００２５】
【実施例２】
本願発明の二重構造によるファスナー２の内、外側（但し、装着する身体の位置を基準とする）のファスナー２の務歯２２を身体側に位置するように配置し、内側のファスナー２の務歯２２を身体と反対側の位置となるように配置した場合には、外側のファスナー２自体は、化学物質等からの汚染の影響を最小限とすることができ、他方、内側のファスナー２は、身体の接触による違和感を生じさせないことになる。
【００２６】
したがって、本願発明の構成においては、外側のファスナー２及び内側のファスナー２を前記のように配置することが至当である。
【００２７】
【発明の効果】
以上のような二重構造のファスナー２を設け、かつ二重構造によって形成された細長い袋状の領域に、圧縮空気を充満させることによる本願発明においては、外側のファスナー２の存在によって、物質等からの汚染の影響を最小限とすることができることから、化学物質等によって環境汚染が生じている海水、湖水中できる潜水をも実現することが可能となる。
【００２８】
しかも、本願発明の構成は、決して煩雑な製造工程を伴う訳ではない。
【００２９】
このように、本願発明は、幾多の長所を有しており、その価値は絶大である。
【図面の簡単な説明】
【図１】  積層構成による実施形態を示す潜水服シートの断面図であり、（ａ）はフッ素ゴムシートに対し、クロロプレンゴムシート又はブチルゴムシートの何れかとの二重積層による構成を示しており、（ｂ）はフッ素ゴムシートに対し、クロロプレンゴムシート、ブチルゴムシートの層方との三重積層による構成を示す。
【図２】  本願発明の基本構成を示すファスナー及びその付近の領域を示す断面図であり、（ａ）は、二重構造のファスナーを形成する前段階の状況を示しており、（ｂ）は二重構造によるファスナーが形成された状態を示す。
【図３】  二重構造のファスナー付近において形成された袋状の領域に対し、圧縮空気が噴入され、かつ、噴出されている状況を表わす模式図を示す。
【符合の説明】
１  防水用シート
１１  フッ素ゴムシート
１２  クロロプレンゴムシート
１３  ブチルゴムシート
２  ファスナー
２１  細長状テープ
２２  務歯
３  圧縮空気用容器又はポンプ
４  パイプ
５１  圧縮空気の入口
５２  空気の出口
【図１】
0003992904.tif 000002
【図２】
0003992904.tif 000003
【図３】
0003992904.tif 000004